(57)【要約】【課題】  チキソ性の高い薬剤を使用する場合であっても、所望の濃度に保持しつつ、所望の時間継続して薬剤を混合することができると共に、薬剤収容室に収容された混合用薬剤をさらに効率良く使用することのできる混合用アタッチメントを提供する。【解決手段】  上流側流路１３と下流側流路１４との間に介在して設けられ、薬剤収容室１５に収容された混合用薬剤を流入口３７を介して上流側流路１３から流入した原水に混合しつつ、下流側流路１４に流出させる混合用アタッチメント１０であって、上流側閉塞部１９は、薬剤収容室１５に乱流を生じさせる乱流発生手段４２を備えており、乱流発生手段４２は、周方向に開口した周方向放流口５２と、軸方向に開口した軸方向放流口５４とを含んでおり、周方向放流口５２の総開口面積は、周方向放流口５２及び軸方向放流口５４の全開口面積の５５％〜９０％となっている。【選択図】    図２
2006159076.tif 000002
【特許請求の範囲】
【請求項１】
上流側流路と下流側流路との間に介在して設けられ、同心状に配置された内側筒体と外側筒体とを有しており、内側筒体の内側を原水主流路とすると共に、内側筒体と外側筒体との間の中空部を、両端を上流側閉塞部と下流側閉塞部とで覆って薬剤収容室とし、該薬剤収容室に収容された混合用薬剤を流入口を介して上流側流路から流入した原水に混合しつつ、該原水と共に流出口を介して下流側流路に流出させる混合用アタッチメントであって、
前記上流側閉塞部は、前記流入口から流入する原水によって不規則な水の流れを前記薬剤収容室に生じさせる乱流発生手段を備えており、
該乱流発生手段は、前記外側筒体の周方向に開口した少なくとも一つ以上の周方向放流口と、前記外側筒体の軸方向に開口した少なくとも一つ以上の軸方向放流口とを含んでおり、
前記周方向放流口の総開口面積は、前記軸方向放流口の総開口面積よりも大きく、且つ周方向放流口及び軸方向放流口の全開口面積の５５％〜９０％となっている混合用アタッチメント。
【請求項２】
前記薬剤収容室に収容される混合用薬剤の粘度が５０００〜２５０００Ｐａ・ｓであり、チキソ指数が２〜５である請求項１記載の混合用アタッチメント
【請求項３】
前記薬剤収容室には、前記流入口から前記流出口へ向かう水の流れの作用によって当該薬剤収容室の内部で遊動する流動子が収容されている請求項１又は２に記載の混合用アタッチメント。
【発明の詳細な説明】
【技術分野】
【０００１】
本発明は、薬剤収容室に収容された混合用薬剤を上流側流路から流入した原水に混合しつつ、該原水と共に下流側流路に流出させる混合用アタッチメント、及び該混合用アタッチメントを一体として取り付けた薬剤散布器具に関する。
【背景技術】
【０００２】
シャワー器具やその他の薬剤散布器具に取り付けて、各種の液状、ゲル状、粒状等の身体用薬剤を混合用薬剤として、原水に混合しながら散布できるようにした混合用アタッチメントが開示されている（例えば、特許文献１参照）。特許文献１に記載の混合用アタッチメントは、同心状に配置された内側筒体と外側筒体とを有しており、内側筒体の内側を原水主流路とすると共に、内側筒体と外側筒体との間の中空部を、両端を上流側閉塞部と下流側閉塞部とで覆って薬剤収容室としたものであり、薬剤収容室に収容された薬剤等を上流側流路から流入した原水に混合しつつ、原水と共に下流側流路に流出させる。
【０００３】
また、特許文献１に記載の混合用アタッチメントは、薬剤収容室の上流側端部における流入口と接続して、流出口に向かう螺旋流を流入する原水によって薬剤収容室内に生じさせる螺旋流発生手段を備えており、この螺旋流発生手段を介して螺旋流を発生させることにより、薬剤収容室内のデッドスペースや流れの生じ難い部分にも原水を効果的に行き届かせて、少ない流量の原水によっても薬剤収容室内の混合用薬剤を効率良く原水に混合しつつ容易に流出させることを可能にする。
【特許文献１】特開２００４−４２０２７
【発明の開示】
【発明が解決しようとする課題】
【０００４】
一方、例えばシャワー器具に薬剤混合用のアタッチメントを取り付けて用いる場合、シャワー水に混合される薬剤を所望の濃度に保持しつつ、所望の時間継続して薬剤を徐放させるようにすることが好ましく、また薬剤収容室に収容された薬剤を、残すことなく所望の時間内にその略全部を使い切って、効率良く薬剤を散布できるようにすることが好ましい。
【０００５】
このため、特許文献１に記載の混合用アタッチメントでは、螺旋流発生手段に加えて、軸方向に向けてストレート流を生じさせる軸方向放流手段を設けることにより、薬剤収容室の内部を乱流状態とする工夫がなされているが、原水に混合される薬剤は、シャワーを浴びる際の肌への剤付着性を改善することが望まれている。そして、付着性が改善された薬剤は、チキソ性の高い特性を有しているが、チキソ性が高く、高粘度の薬剤は、薬剤収容室の上部（下流側）に薬剤が残りやすい傾向がある。そこで、特にチキソ性の高い薬剤を使用する場合でも所望の濃度に保持しつつ、所望の時間継続して薬剤を徐放させながら、さらに効率良く薬剤を使用できるようにする混合用アタッチメントの開発が望まれている。
【０００６】
本発明は、原水に混合される薬剤として特にチキソ性の高い薬剤を使用する場合でも、所望の濃度に保持しつつ、所望の時間継続して薬剤を混合してゆくことができると共に、薬剤収容室に収容された混合用薬剤を、剤残りを生じることなく効率良く使用することのできる混合用アタッチメント、及び該混合用アタッチメントを取り付けた薬剤散布器具を提供することを目的とする。
【課題を解決するための手段】
【０００７】
本発明は、上流側流路と下流側流路との間に介在して設けられ、同心状に配置された内側筒体と外側筒体とを有しており、内側筒体の内側を原水主流路とすると共に、内側筒体と外側筒体との間の中空部を、両端を上流側閉塞部と下流側閉塞部とで覆って薬剤収容室とし、該薬剤収容室に収容された混合用薬剤を流入口を介して上流側流路から流入した原水に混合しつつ、該原水と共に流出口を介して下流側流路に流出させる混合用アタッチメントであって、前記上流側閉塞部は、前記流入口から流入する原水によって不規則な水の流れを前記薬剤収容室に生じさせる乱流発生手段を備えており、該乱流発生手段は、前記外側筒体の周方向に開口した少なくとも一つ以上の周方向放流口と、前記外側筒体の軸方向に開口した少なくとも一つ以上の軸方向放流口とを含んでおり、前記周方向放流口の総開口面積は、前記軸方向放流口の総開口面積よりも大きく、且つ周方向放流口及び軸方向放流口の全開口面積の５５％〜９０％となっている混合用アタッチメント、及び該混合用アタッチメントを一体として取り付けた薬剤散布器具を提供することにより、上記目的を達成したものである。
【発明の効果】
【０００８】
従来の混合用アタッチメントによれば、原水に混合される薬剤のチキソ性が高い場合は、薬剤収容室の下流側で、薬剤の剤残りが発生する傾向があった。本発明の混合用アタッチメント又は薬剤散布器具によれば、原水に混合される薬剤を所望の濃度に保持しつつ、所望の時間継続して薬剤を混合してゆくことができると共に、薬剤収容室に収容された混合用薬剤を、剤残りを生じることなく効率良く使用することができる。
【発明を実施するための最良の形態】
【０００９】
本発明の好ましい第１実施形態に係る混合用アタッチメント１０は、図１に示すように、例えば、散布器具であるシャワー器具１１と、シャワー水供給ホース１２との間に介在して取り付けられ、原水であるシャワー水に浴用薬剤、洗浄用薬剤、香料薬剤、スキンケア用薬剤等の薬剤を添加混合しつつ下流側のシャワー器具１１に向けて流下させて、これらの薬剤が添加混合されたシャワー水によってシャワーを行うことを可能し、シャワー器具１１を薬剤散布器具としても用いることができるようにするために採用されたものである。すなわち、本第１実施形態の混合用アタッチメント１０は、例えば合成樹脂からなり、例えば使用者が湯上り用としてシャワーを使用する際に、その都度、薬剤収容室１５（図２参照）に所望量（薬剤の１回当たりの使用量が５〜２５ｇ）の混合用薬剤を注入充填し、入浴の仕上げとして、例えば１０〜６０秒間程度混合用薬剤を徐放させつつ例えば０．０５〜５％程度の所望の濃度で混合したシャワー水を身体に散水させること目的として用いられるものである。
【００１０】
そして、本第１実施形態の混合用アタッチメント１０は、図２及び図３に示すように、上流側流路１３と下流側流路１４との間に介在して設けられ、同心状に配置された内側筒体１６と外側筒体１７とを有しており、内側筒体１６の内側を原水主流路１８とすると共に、内側筒体１６と外側筒体１７との間の中空部を、両端を上流側閉塞部１９と下流側閉塞部２０とで覆って薬剤収容室１５とし、この薬剤収容室１５に収容された混合用薬剤を流入口３７（図４（ｂ）参照）を介して上流側流路１３から流入した原水に混合しつつ、この原水と共に流出口３９（図４（ｂ）参照）を介して下流側流路１４に流出させるアタッチメントであって、上流側閉塞部１９は、流入口３７から流入する原水によって不規則な水の流れを薬剤収容室１５に生じさせる乱流発生手段４２を備えている。また乱流発生手段４２は、周方向に開口して螺旋流を生じさせる少なくとも１つ以上の周方向放流口５２と、軸方向Ｘに開口してストレート流を生じさせる少なくとも１つ以上の軸方向放流口５４とを含んでおり、周方向放流口５２の総開口面積は、軸方向放流口５４の総開口面積よりも大きく、且つ周方向放流口５２及び軸方向放流口５４の全開口面積の５５％〜９０％となっている。
【００１１】
さらに、本第１実施形態によれば、薬剤収容室１５に収容される混合用薬剤の粘度は５０００〜２５０００Ｐａ・ｓ、チキソ性指数が２〜５となっており、また薬剤収容室１５には、流入口３７から流出口３９へ向かう水の流れの作用によって当該薬剤収容室１５の内部で遊動する流動子５０ａ，５０ｂが収容されている。
【００１２】
なお、本第１実施形態によれば、外側筒体１７と内側筒体１６との間の薬剤収容室１５は、その容量が５〜２５ｍＬとなっていることが好ましい。
【００１３】
本第１実施形態の混合用アタッチメント１０を構成する内側筒体１６は、図４（ａ），（ｂ）にも示すように、円盤ドーナツ形状の上方基盤３２と円盤ドーナツ形状の下方基盤３３とによって上下の端部を支持された状態で固定され、内側の原水主流路１８は、上方基盤３２及び下方基盤３３の中央貫通穴３２ａ，３３ａを介して下流側流路１４や上流側流路１３と連通している。この内側筒体１６の下部及び上部における、周面が上流側閉塞部１９及び下流側閉塞部２０によって覆われる部分には、上流側連通孔３４及び下流側連通孔３５が、当該内側筒体１６の周壁を横方向に貫通するようにして、周方向Ｙの同じ位置に上下に配置されて各々形成されている。
【００１４】
外側筒体１７は、好ましくは透明な合成樹脂からなるスリーブ形状の部材であって、その下端部及び上端部において、内側筒体１６との間に上流側閉塞部１９及び下流側閉塞部２０を各々介在させて、内側筒体１６に対して周方向Ｙ（図５（ｂ）参照）に回転移動可能に取り付けられる。これによって、外側筒体１７の内側には、当該外側筒体１７と、内側筒体１６と、上流側閉塞部１９及び下流側閉塞部２０とによって囲まれる、円環状断面の薬剤収容室１５が形成されることになる。
【００１５】
なお、本第１実施形態によれば、外側筒体１７には、これの下部における周面に薬剤収容室１５への薬剤注入口２３が開口形成され、この薬剤注入口２３は水抜き口を兼ねると共に、外側筒体１７の上部には、薬剤注入口２３の垂直上方に位置して空気孔３６が開口形成されている。そして、薬剤注入口２３及び空気孔３６を覆うようにして、これらと同時に合致可能なスライド注入口２４及びスライド空気孔４３を有する開閉スライド部材２５が、外側筒体１７の軸方向Ｘにスライド移動可能に取り付けられている（図５（ａ），（ｂ）参照）。
【００１６】
外側筒体１７と内側筒体１６との間に介在する上流側閉塞部１９と下流側閉塞部２０は、円盤ドーナツ形状の部材であって、下方基盤３３と上方基盤３２の薬剤収容室１５側の内面に各々回転スライド可能に密着して取り付けられる。また上流側閉塞部１９と下流側閉塞部２０は、シール性を確保するためのＯ−リングを適宜の位置に介在させつつ、上流側閉塞部１９と下流側閉塞部２０の外周面を外側筒体１７の内周面に各々接合一体化すると共に、これらの内周面を内側筒体１６の外周面に各々回転スライド可能に密着させて取り付けられる。これによって上流側閉塞部１９と下流側閉塞部２０は、内側筒体１６を中心とした周方向Ｙに、外側筒体１７と一体となって回転移動することになる。
【００１７】
また、上流側閉塞部１９と下流側閉塞部２０の内部には、これらの断面中央部分を同心状かつ円環状に貫通するようにして、原水流入路２１及び流出路２２が、周方向Ｙに沿って延設して各々形成されている。原水流入路２１が形成された上流側閉塞部１９には、内側筒体１６の上流側連通孔３４と合致することが可能な周方向Ｙの特定の位置に、内側筒体１６の外周面を覆う当該上流側閉塞部１９の内壁部分を貫通して、流入口３７（図４（ｂ）参照）が形成されている。また原水流入路２１の天面壁部分を貫通して、収容室連通孔３８が周方向Ｙに複数箇所開口形成されており、これらの収容室連通孔３８を介して、原水流入路２１から薬剤収容室１５に原水を供給することができるようになっている。
【００１８】
一方、流出路２２が形成された下流側閉塞部２０には、内側筒体１６の下流側連通孔３５と合致することが可能な周方向Ｙの特定の位置に、内側筒体１６の外周面を覆う当該下流側閉塞部２０の内壁部分を貫通して、流出口３９（図４（ｂ）参照）が、流入口３７と同じ方向に開口して形成されている。また流出路２２の下面壁部分を貫通して、収容室連通孔４０が周方向Ｙに複数箇所開口形成されており、これらの収容室連通孔４０を介して、混合用薬剤を混入した原水を薬剤収容室１５から流出路２２に排出することができるようになっている。
【００１９】
そして、本第１実施形態によれば、内側筒体１６に対する上流側閉塞部１９及び下流側閉塞部２０が一体となった外側筒体１７の相対的な回転移動によって、図４（ａ）に示すような、上流側連通孔３４及び下流側連通孔３５と、流入口３７及び流出口３９とが互いにずれて原水流入路２１及び流出路２２が閉塞された状態と、図４（ｂ）に示すような、上流側連通孔３４及び下流側連通孔３５と、流入口３７及び流出口３９とが互いに合致して原水流入路２１及び流出路２２が開放された状態とを切り替えて、原水流入路２１及び流出路２２の開閉操作を容易に行うことが可能になる。
【００２０】
本第１実施形態によれば、原水流入路２１及び流出路２２の開放時に、流入口３７から流入する原水によって不規則な水の流れを薬剤収容室１５に生じさせる乱流発生手段４２は、例えば図３に示すように、周方向を向いた切欠き面５１に周方向放流口５２を開口形成した放流羽５３を、周方向に１８０度ずらして２箇所に配置してなる螺旋流発生手段と、各切欠き面５１から周方向に９０度ずれた２箇所において、放流羽５３の外周面に近接して上方に向けて開口形成された軸方向放流口５４による軸方向放流手段とによって構成される。螺旋流発生手段の周方向放流口５２と軸方向放流手段の軸方向放流口５４は、各々上流側閉塞部１９の収容室連通孔３８を介して原水流入路２１と連通しており、流入口３７及び流出口３９が開放された際に原水流入路２１に流入する原水の圧力によって、当該原水を螺旋方向と軸方向に向けて同時に放流させる。これによって、螺旋流とストレート流とが混合された不規則な流れ（乱流）を、薬剤収容室１５の内部に容易に生じさせることができるようになっている。
【００２１】
ここで、本第１実施形態によれば、２箇所の周方向放流口５２の総開口面積は、２箇所の軸方向放流口５４の総開口面積よりも大きく、且つ周方向放流口５２及び軸方向放流口５４の全開口面積の５５〜９０％となっている。また周方向放流口５２の総開口面積は、周方向放流口５２及び軸方向放流口５４の全開口面積の５５〜９０％となっていることが好ましく、６０〜８５％となっていることが特に好ましい。周方向放流口５２の総開口面積が、周方向放流口５２及び軸方向放流口５４の全開口面積の５５〜９０％であると、高粘度（５０００〜２５０００ｍPa・ｓｅｃ）であり、且つチキソ性が高い時（チキソ指数２〜５）でも、薬剤収容室１５の下流側で薬剤が溶け残らないという利点が得られることになる。
【００２２】
また、周方向放流口５２及び軸方向放流口５４の全開口面積は１．５〜５ｍｍ2となっていることが好ましく、これによって原水流入路２１（薬剤収容室１５）に所望量の原水が流入しやすくなるという利点が得られることになる。
【００２３】
本第１実施形態によれば、薬剤収容室１５の内部に収容される流動子５０ａ，５０ｂは、例えば粒径が３〜１０ｍｍのプラスチック製の球形の粒状部材であり、比重が例えば１．０の第１流動子５０ａと比重が例えば１．７の第２流動子とが、各々２個ずつ合計４個収容されている。
【００２４】
ここで、流動子は、球形のものである必要は必ずしも無く、例えばタマゴ形、ビーズ形状、円筒形状、円盤形状、矩形平板形状、六面体形状等、その他の種々の形状のものを用いることができる。また流動子は、薬剤収容室の内部で自由に移動できる程度の大きさとして、例えば最大外形寸法が３〜１０ｍｍ程度の大きさを備えていると共に、その比重が、薬剤収容室に収容される混合用薬剤、或いは薬剤収容室に流入する原水の比重の１〜３倍程度となっている。これによって流動子は、流入口３７から流出口３９へ向かう水の流れの作用によって、薬剤収容室の内部において、壁面に衝突したり流動子同士で衝突しながら上下左右にあばれるようにして自由に遊動することができるようになっている。
【００２５】
また、本第１実施形態の混合用アタッチメント１０は、図４（ａ），（ｂ）及び図５（ａ），（ｂ）に示すように、開閉スライド部材２５を軸方向Ｘにスライド移動させて薬剤注入口２３とスライド注入口２４とを合致させた状態では（図４（ａ），図５（ａ）参照）、内側筒体１６に対する外側筒体１７の周方向Ｙへの回転移動を阻止し、外側筒体１７を回転移動させて原水流入路２１や流出路２２が開放された状態では（図４（ｂ），図５（ｂ）参照）、開閉スライド部材２５の軸方向Ｘへのスライド移動を阻止するロック機構を備えている。
【００２６】
すなわち、開閉スライド部材２５は、外側筒体１７の下端縁部から下方に突出可能にスライド移動できるように取り付けられており、ロック機構は、この開閉スライド部材２５と、外側筒体１７の下方において開閉スライド部材２５の下端部である下方突出部分２５ａを係止する切り欠き凹部２６と、外側筒体１７の上端部分に設けられた、遊嵌凸部２７及びこの遊嵌凸部２７を周方向Ｙにスライド移動可能に遊嵌する切り欠き凹溝２８とによって構成される。そして、開閉スライド部材２５の下方突出部分２５ａを切り欠き凹部２６に係止した状態（図５（ａ）参照）で薬剤注入口２３とスライド注入口２４とを合致させ、この係止した状態を開放して遊嵌凸部２７が切り欠き凹溝２８の一方（右側）の端部に当接するまで外側筒体１７を回転させることにより（図５（ｂ）参照）、原水流入路２１や流出路２２を開放するようになっている。
【００２７】
また、本第１実施形態によれば、外側筒体１７は、当該外側筒体１７の上方及び下方に設けられた上方環状突壁２９と下方環状突壁３０との間に配置されてこれらに対して周方向Ｙに回転可能に取り付けられており、切り欠き凹部２６は、下方環状突壁３０の上端縁部を切り欠いて形成され、切り欠き凹溝２８は、上方環状突壁２９の下端縁部を切り欠いて形成されている。
【００２８】
さらに、本第１実施形態によれば、外側筒体１７の周面には、薬剤注入口２３を通過する帯状領域において外側筒体１７の軸方向Ｘに延設するスライド案内溝３１が形成されており、開閉スライド部材２５は、このスライド案内溝３１に填め込まれて当該スライド案内溝３１に沿って軸方向Ｘにスライド移動するようになっている。
【００２９】
そして、上述の構成を有する本第１実施形態の混合用アタッチメント１０が取り付けられたシャワー器具１１を用いて、混合用薬剤を混合したシャワー水によるシャワーを行うには、まず薬剤収容室１５に所望量の混合用薬剤を注入する作業を行う。すなわち、混合用アタッチメント１０やシャワー器具１１が一体として取り付けられた、図１に示す薬剤散布器具を手で把持し、例えば親指を開閉スライド部材２５の隆起部２５ｃに密着係止して、遊嵌凸部２７が切り欠き凹溝２８の左側端部に当接するまで外側筒体１７を回転移動し、さらに開閉スライド部材２５を下方にスライド移動して、下方突出部分２５ａを切り欠き凹部２６に係止する。これによって、外側筒体１７の薬剤注入口２３及び空気孔３６と、開閉スライド部材２５のスライド注入口２４及びスライド空気孔４３とが合致するので、空気孔３６から空気を排除しつつ、薬剤注入口２３を介して薬剤収容室１５へ、例えば５０００〜２５０００ｍＰａ・ｓｅｃ程度の高い粘度を備え、且つ高いチキソ性（チキソ指数２〜５）を有する混合用薬剤をスムーズに注入してゆくことが可能になる。またこの注入作業の最中には、下方突出部分２５ａの切り欠き凹部２６への係止によって、外側筒体１７の回転移動が阻止されて、薬剤収容室１５に原水を流入させることがない。
【００３０】
なお、混合用薬剤の粘度測定条件は、使用機器：Ｂ型粘度計（（株）東京什器製）、ローター：Ｎｏ．４（基本）、回転速度：１２ｒｐｍ、測定時間：６０秒、測定温度：２５℃である。また、混合用薬剤のチキソ指数はローター回転速度6rpmで測定した粘度を60rpmで測定した粘度で割った値である。なお、混合薬剤の粘度が高く、ローター回転速度６０rpmで粘度測定出来ない時は6,12,30ｒpmの粘度と対数グラフを用いて60rpmの粘度を類推し、この値を採用する。
例：ローター回転速度6,12,30rpm  X軸（対数）で測定した時の読み値をY軸（対数）に記録。各点の延長線とＸ軸60rpmと交ったY軸の値をローター回転数６０rpmで測定した粘度の読み値とする。
【００３１】
薬剤収容室１５へ混合用薬剤を所望量注入したら、例えば上述と同様の親指の操作によって、開閉スライド部材２５を、その上端部２５ｂが切り欠き凹溝２８の左側端部の上縁部分に当接するまで上方にスライド移動させる。これによって、外側筒体１７の薬剤注入口２３及び空気孔３６と、開閉スライド部材２５のスライド注入口２４及びスライド空気孔４３とがずれて、薬剤注入口２３及び空気孔３６が閉塞され、注入された混合用薬剤が薬剤収容室１５から洩出することなく内部に収容された、薬剤散布までの待機状態となる。また、開閉スライド部材２５を上方にスライド移動させた後に、これの下端部２５ｂが切り欠き凹部２６から周方向Ｙに外れるように外側筒体１７を僅かに回転移動させることにより、かかる待機状態において、開閉スライド部材２５が下方に移動して混合用薬剤が洩出するのを効果的に回避することが可能になる。
【００３２】
このような待機状態から、使用者が、例えば入浴の仕上げとしてシャワー水と共に混合用薬剤を身体に散布する際には、例えばシャワーを行いつつ上述と同様の親指の操作によって、開閉スライド部材２５の遊嵌凸部２７が切り欠き凹溝２８の右側端部に当接するまで外側筒体１７を回転移動する。これによって、上流側連通孔３４及び下流側連通孔３５と流入口３７及び流出口３９とが互いに合致し、乱流発生手段４２により螺旋流やストレート流を生じさせつつ原水を薬剤収容室１５に流入させると共に、混合用薬剤を原水に混合させて下流側流路１４に流出させることが可能になり、例えば１０〜６０秒間、混合用薬剤が無くなるまでシャワー水と共に混合用薬剤を身体に散布することが可能になる。
【００３３】
シャワーが終了したら、例えば上述と同様の親指の操作によって、外側筒体１７を反対側に回転移動して遊嵌凸部２７を切り欠き凹溝２８の左側端部に当接させ、さらに下方突出部分２５ａが切り欠き凹部２６に係止するまで開閉スライド部材２５を下方にスライド移動させる。これによって、外側筒体１７の薬剤注入口２３及び空気孔３６と、開閉スライド部材２５のスライド注入口２４及びスライド空気孔４３とが合致して、混合用薬剤と入れ替わった原水が薬剤注入口２３を介して薬剤収容室１５から水抜きされ、薬剤収容室１５へ混合用薬剤を注入してゆくことが可能な状態に復帰することになる。
【００３４】
さらに、本第１実施形態によれば、薬剤収容室１５の内部に流動子５０ａ，５０ｂが収容されているので、これらの流動子５０ａ，５０ｂが薬剤収容室１５の内部においてあばれるようにして上下左右に自由に動くことにより、例えば薬剤収容室１５の壁面に衝突しながら、特に流速が遅くなる壁面近傍部分の薬剤を掻き落とすことによって、剤残りをさらに効果的に抑制しつつ混合用薬剤を徐放させることが可能になる。また流動子５０ａ，５０ｂが互いに衝突しながら薬剤収容室１５の内部を動き回ることによって、混合用薬剤や原水をさらに効果的に攪拌することになり、水の通り道の発生を防止して、所望の濃度で所望の時間継続して徐放させつつ、混合用薬剤を安定した状態で原水に混合して行くことが可能になる。これらによって、乱流発生手段４２による作用と相俟って、特に薬剤収容室１５に５０００〜２５０００ｍＰａ・ｓｅｃの高い粘度であり、且つ、チキソ性指数が２〜５である混合用薬剤が収容されている場合であっても、さらに効果的に所望の濃度で所望の時間安定した状態で継続して薬剤を原水に混合してゆくことが可能になる。
【００３５】
なお、本発明は上記第１実施形態に限定されることなく種々の変更が可能である。例えば、本発明の混合用アタッチメントは、シャワー水に浴用薬剤やスキンケア用薬剤等の身体用薬剤を混合して送り出すものに限定されることなく、シャワー器具以外のその他の薬剤散布器具に取り付けて、各種の溶液、ゲル状、エマルション等の家庭用消費薬剤や農業用薬剤等の薬剤を原水に混合するために採用することもできる。また、混合用アタッチメントは、シャワー器具とシャワー水供給ホースとの間に介在させて取り付ける必要は必ずしもなく、シャワー器具の外部から見えないように当該シャワー器具に内蔵させて取り付けることもできる。さらに、薬剤収容室の内部に収容する流動子は、比重、形状、又は大きさの異なる２種類の流動子の他、１種又は３種以上の流動子を用いることもでき、１個のみの流動子を薬剤収容室に収容して用いることもできる。さらにまた、薬剤収容室に収容されて徐放される混合用薬剤は、粘度が５０００〜２５０００ｍＰａ・ｓｅｃのものである必要は必ずしもなく、粘度の低い薬剤や、パウダー入りの薬剤等であっても良い。薬剤収容室の内部に流動子を収容する必要は必ずしもない。
【００３６】
また、乱流発生手段は、例えば図６に示すように、周方向放流口と軸方向放流口とを４箇所ずつ備えるものであっても良く、その数、位置、放流口の角度等は特に限定されるものではない。さらに、放流羽の切欠き面に周方向放流口を開口形成したり、下流側閉塞部の上面に軸方向放流口を開口形成する必要は必ずしもなく、その他の部材を介してこれらを開口形成することもできる。
【実施例】
【００３７】
以下、本発明を実施例及び比較例に基づいてさらに詳細に説明するが、本発明はこれらに限定されるものではない。
【００３８】
上記第１実施形態の混合用アタッチメントと同様の構成を備え、（放流口の面積比）＝（周方向放流口の総面積）／（周方向放流口と軸方向放流口の総開口面積）で表される「放流口の面積比」が表１に示す面積比となった、実施例１〜１１の混合用アタッチメント、及び比較例１〜７の混合用アタッチメントの薬剤収容室に、表１に示す粘度及びチキソ指数を有する混合用薬剤を各々収容した。これらの混合用アタッチメントが各々取り付けられた図１に示すシャワー器具について、後述する測定方法によって、所定時間（６０秒）の散水後に各混合用アタッチメントの薬剤収容室に収容された混合用薬剤の溶け残りの状態を観察した。測定結果を表１に示す。なお、薬剤収容室の容量を１５ｍＬとし、各々１２ｇの混合用薬剤剤を注入した。また、原水として３８〜４０℃の湯を使用し、８Ｌ／分の流量でシャワー器具に供給した。
【００３９】
【表１】
2006159076.tif 000003
【００４０】
〔溶け残りの観察方法〕
実施例１〜１１、比較例１〜７の各混合用アタッチメントの各薬剤収容室に、表１に示す粘度及びチキソ指数を有する着色した混合用薬剤を、１２ｇ充填収容した後に、シャワー水供給ホースから８Ｌ／分の流量で原水を各混合用アタッチメントに供給しつつ、原水流入路及び流出路を開放して、原水を薬剤収容室に通水させた（散水時間６０秒）。しかる後に、薬剤収容室に収容された混合用薬剤の溶け残りの状態を目視によって観察した。溶け残り状態の観察において、薬剤収容室の上流側、下流側ともに薬剤の溶け残りが認められない状態を「○」、薬剤収容室の上流側では薬剤の溶け残りが認められないが、下流側に薬剤の溶け残りが少し認められる状態を「△」、薬剤収容室の上流側で薬剤の溶け残りが少し認められ、下流側では薬剤の溶け残りが多く認められる状態を「×」として評価した。
【００４１】
表１に示す剤溶け残り状態の測定結果から明らかな様に、本発明に係る放流口の面積比に設定した実施例１〜１１の混合用アタッチメントは、比較例１〜７の混合用アタッチメントと比較して、所望の時間内に、剤残りを顕著に少なくして混合用薬剤を効率良く原水に混合でき、例えば湯上り用のシャワーを行うのに好適であることが判明する。
【図面の簡単な説明】
【００４２】
【図１】本発明の第１実施形態に係る混合用アタッチメントをシャワー器具に取り付けて使用する状況を説明する側面図である。
【図２】本発明の第１実施形態に係る混合用アタッチメントをシャワー器具に取り付けて構成される薬剤散布器具の断面図である。
【図３】周方向放流口と軸方向放流口とを含む乱流発生手段を例示する斜視図である。
【図４】（ａ）は、本発明の第１実施形態に係る混合用アタッチメントの、薬剤収容室へ混合用薬剤を注入可能な状態を示す断面図、（ｂ）は、本発明の第１実施形態に係る混合用アタッチメントの、混合用薬剤を原水に混合可能な状態を示す断面図である。
【図５】（ａ），（ｂ）は、本発明の第１実施形態に係る混合用アタッチメントを示す側面図ある。
【図６】周方向放流口と軸方向放流口とを含む他の乱流発生手段を例示する斜視図である。
【符号の説明】
【００４３】
１０  混合用アタッチメント
１１  シャワー器具
１２  シャワー水供給ホース
１３  上流側流路
１４  下流側流路
１５  薬剤収容室
１６  内側筒体
１７  外側筒体
１８  原水主流路
１９  上流側閉塞部
２０  下流側閉塞部
２１  原水流入路
２２  流出路
２３  薬剤注入口
２４  スライド注入口
２５  開閉スライド部材
２６  切り欠き凹部
２７  遊嵌凸部
２８  切り欠き凹溝
３４  上流側連通孔
３５  下流側連通孔
３６  空気孔
３７  流入口
３８  収容室連通孔
３９  流出口
４０  収容室連通孔
４２  乱流発生手段
４３  スライド空気孔
５０ａ，５０ｂ  流動子
５１  切欠き面
５２  周方向放流口
５３  放流羽
５４  軸方向放流口
Ｘ    軸方向
Ｙ    周方向
【図１】
2006159076.tif 000004
【図２】
2006159076.tif 000005
【図３】
2006159076.tif 000006
【図４】
2006159076.tif 000007
【図５】
2006159076.tif 000008
【図６】
2006159076.tif 000009